(57)【特許請求の範囲】
【請求項１】
複数の角材を接合して正多角形を呈する集成材とし、前記集成材の外周面を面取りして円筒面状に成形し、前記集成材の外周面に後付け部材を設けてなる木製品において、
前記面取りは、前記正多角形の中心を回転軸として前記集成材を回転させるとともに、前記集成材の外周面に刃物を押し付けて行うものとし、
前記集成材の外周面であって前記正多角形の辺の中央に相当する部位には、前記刃物が押し付けられずに平面状のままとされる平面部を設け、
前記後付け部材は、前記平面部に設けたことを特徴とする木製品。
【発明の詳細な説明】
【技術分野】
【０００１】
本発明は、集成材を面取りしてなる木製品に関する。
【背景技術】
【０００２】
一般に、円形環状の木製品を製造する方法としては、複数の角材を接合して正多角形を呈する集成材とし、これを面取りする方法が知られている。このような方法は、特許文献１に開示された木製品にも応用されている。集成材の外周面及び内周面の面取りは、正多角形の中心を回転軸として集成材を回転させるとともに、集成材に刃物を押し付けて行うとよい。
【特許文献１】特開平１１−２４２４７８号公報
【発明の開示】
【発明が解決しようとする課題】
【０００３】
さて、本願発明者は、集成部材を面取りしてなる円形環状の木製品を時計のフレームとして利用し、その外周面に装飾用の後付け部材を設けようと試みたところ、後付け部材の位置決めや固定には、煩雑な作業が伴うことに気がついた。すなわち、集成材の外周面は円筒面状となるため、集成材の外周面に後付け部材の着座面をピッタリと合致させるためには、後付け部材の着座面をも所定の円筒面状に成形する必要がある。或は、集成材の外周面に更なる加工を施す必要がある。また、後付け部材は、集成材の外周面に穿孔した孔部に挿入嵌合するようにしてもよいが、集成材の外周面が円筒面状であれば、その穿孔作業が比較的困難になるという不都合もある。つまるところ、集成材の外周面に後付け部材をより簡単に設けるための工夫が必要と考えられる。本発明は、かかる事情に鑑みてなされたものであり、その目的は、より合理的に製造された木製品を提供することである。
【課題を解決するための手段】
【０００４】
本願第１請求項に記載した発明は、複数の角材を接合して正多角形を呈する集成材とし、前記集成材の外周面を面取りして円筒面状に成形し、前記集成材の外周面に後付け部材を設けてなる木製品において、前記面取りは、前記正多角形の中心を回転軸として前記集成材を回転させるとともに、前記集成材の外周面に刃物を押し付けて行うものとし、前記集成材の外周面であって前記正多角形の辺の中央に相当する部位には、前記刃物が押し付けられずに平面状のままとされる平面部を設け、前記後付け部材は、前記平面部に設けた構成の木製品である。
【発明の効果】
【０００５】
本発明によれば、より合理的に製造された木製品を得ることができる。
【発明を実施するための最良の形態】
【０００６】
以下に、本発明の実施例を図面に基づいて説明する。図１に示す時計１は、時計本体２に対し円形環状の木製品１００を装飾用のフレームとして装着してなるものである。図２及び図３に示すように、本例の木製品１００は、面取りを施した集成材２００の外周面に、後付け部材たるＬ字型プレート３１０及び突起体３２０を一定のピッチで設けてなるものである。デザインとしては、船の舵輪を模したものとなっている。以下、本例の木製品１００をその製造方法に従って説明する。
【０００７】
まず、図４に示すような同型の複数の角材２１０を接着材で接合して、図５に示すような正多角形（図例では正八角形）を呈する環状の集成材２００を作成する。
【０００８】
次に、集成材２００の外周面及び内周面を円筒面状に成形する面取り行い、集成材２００を図６に示すような円形環状に成形する。図６中の鎖線は、面取り前の集成材２００の形状を示している。面取りは、正多角形の中心Ｏを回転軸として集成材２００を回転させるとともに、集成材２００の外周面及び内周面にそれぞれ刃物を押し付けて行う。かかる面取りには、集成材２００を固定して回転させるとともに、集成材２００に複数の刃物を適宜移動させて押し付ける切削加工装置を使用する。
【０００９】
ここで、本例の場合、集成材の外周面であって正多角形の辺の中央に相当する部位には、刃物が押し付けられずに平面状のままとされる平面部２０１を設けている。具体的には、正多角形の中心Ｏから正多角形の辺の真ん中までの距離をＲ１、正多角形の中心Ｏから正多角形の角までの距離をＲ２、正多角形の中心Ｏから刃物を押し付ける位置までの距離をＲ３とするとき、集成材２００の厚さ方向の一部においてＲ１＜Ｒ３＜Ｒ２の関係が成り立つように設定している。これにより、正多角形の辺の中央に相当する部位には、おのずと刃物が押し付けられずに平面状のままとされる平面部２０１が設けられる。つまり、平面部２０１を設けるための別途工程は必要としない。
【００１０】
このように集成材２００の外周面及び内週面を面取りして円筒面状に成形した後、各平面部２０１（図例では８箇所）には、それぞれＬ字型プレート３１０及び突起体３２０を設ける。図７に示すように、Ｌ字型プレート３１０を平面部２０１に配置し、これを接着材にて固定する。そして、図８に示すように、Ｌ字型プレート３１０から集成材２００に達する孔部２０２を穿孔し、図９に示すように、突起体３２０の基端部３２１を孔部２０２に挿入嵌合し、且つ接着材にて突起体３２０の基端部３２１を孔部２０２に固定する。平面部２０１によれば、平らなＬ字型プレート３１０の着座面をピッタリと合致させることができる。また、孔部２０２の穿孔も容易である。
【００１１】
本例の構成によると、集成材の外周面に後付け部材をより簡単に設けることができる。尚、本例における各部の構成は、特許請求の範囲に記載した技術的範囲において適宜に設計変更が可能であり、図例説明したものに限定されないことは勿論である。
【産業上の利用可能性】
【００１２】
本発明の木製品は、時計を装飾するフレームをはじめ、各種製品の装飾体として好適に利用することが可能である。
【図面の簡単な説明】
【００１３】
【図１】本発明の実施例に係り、木製品を装着した時計を示す正面図である。
【図２】本発明の実施例に係り、木製品を示す正面図である。
【図３】本発明の実施例に係り、図２のＸ−Ｘ断面図であり、木製品を示す側面断面図である。
【図４】本発明の実施例に係り、多角形状の集成材を構成する角材を示す斜視図である。
【図５】本発明の実施例に係り、多角形状の集成材を示す斜視図である。
【図６】本発明の実施例に係り、面取りした集成材を示す正面図である。
【図７】本発明の実施例に係り、（ａ）は面取りした集成材の要部（プレートを装着する状態）を示す正面図であり、（ｂ）はその側面断面図である。
【図８】本発明の実施例に係り、（ａ）は面取りした集成材の要部（孔部を穿孔した状態）を示す正面図であり、（ｂ）はその側面断面図である。
【図９】本発明の実施例に係り、（ａ）は面取りした集成材の要部（孔部に突起体を組付ける状態）を示す正面図であり、（ｂ）はその側面断面図である。
【符号の説明】
【００１４】
１    時計
２    時計本体
１００    木製品
２００    集成材
２０１    平面部
２０２    孔部
２１０    角材
３１０    Ｌ字型プレート
３２０    突起体
３２１    基端部
【図１】
0004798718.tif 000002
【図２】
0004798718.tif 000003
【図３】
0004798718.tif 000004
【図４】
0004798718.tif 000005
【図５】
0004798718.tif 000006
【図６】
0004798718.tif 000007
【図７】
0004798718.tif 000008
【図８】
0004798718.tif 000009
【図９】
0004798718.tif 000010